(57)【特許請求の範囲】
【請求項１】
複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した出力用紙を収納するために前記傾斜板に対向して配置された収納板（６）により形成される収納部（Ｄ）を備え、前記出力部からの長尺の用紙の先端が前記収納板（６）により前記収納部（Ｄ）の下方の収納部（Ｃ）に収納して振り分けるようにしたことを特徴とする用紙出力機の用紙振り分け装置。
【請求項２】
複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した短尺の出力用紙を収納するするために前記傾斜板に対向して配置された収納板（６）により形成される収納部（Ｄ）と、前記出力部からの長尺の用紙の先端が前記傾斜板と前記収納板（６）の間から収納部（Ｃ）に収納して振り分けるようにしたことを特徴とする用紙出力機の用紙振り分け装置。
【請求項３】
複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した出力用紙を収納するために前記傾斜板に対向して配置された収納板（６）により形成される収納部（Ｄ）を備え、前記出力部からの長尺の用紙の先端が前記収納板（６）により前記収納部（Ｄ）の下方の収納部（Ｃ）に収納して振り分けると共に、
前記出力部の出力位置より高い位置に設けらて小サイズの用紙幅よりも大なる開口部を備えて小サイズよりも大なる用紙幅の出力用紙のみを下方の収納部（Ｂ）に案内する分離板（４）と、を備えたことを特徴とする用紙出力機の用紙振り分け装置。
【発明の詳細な説明】
【０００１】
【産業上の利用分野】
本発明は複写機やプリンター等の用紙出力機能を備えた装置の出力用紙を用紙サイズに対応して振り分ける装置に関するものである。
【０００２】
【従来の技術】
従来、複写機やプリンター等の用紙出力機能を備えた装置の出力用紙は、出力された用紙を飛散させないために、用紙サイズに関係なく一括して受ける用紙受けを設けたものがある。また、用紙毎に用紙サイズを検出する検出手段を備え、検出結果に対応して用紙を振り分ける可動手段を備えた用紙振り分け装置が提案されている。
【０００３】
【発明が解決しようとする課題】
従来の前者の単なる飛散防止のための用紙受けは、用紙サイズに対応しないため、サイズの異なる複写やプリントアウトを実行すると、小サイズの用紙が大サイズの用紙間に介在してしまい、その後の選別処理が困難であった。
また、後者のように用紙サイズの検出手段を備えて用紙を振り分ける可動手段を備えたものでは、可動部分や検出部分を有するために、装置が大型化し、コストも高額となり、複雑さも加わり、故障やメンテナンスにも配慮する必要があった。
このため本願発明では、検出部分や可動部分を備えることなく、用紙サイズを用紙出力と協働して自動的に振り分け収納する用紙振り分け装置を提供することを目的とする。
【０００４】
【課題を解決するための手段】
本発明は、複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した出力用紙を収納するために前記傾斜板に対向して配置された収納板（６）により形成される収納部（Ｄ）を備え、前記出力部からの長尺の用紙の先端が前記収納板（６）により前記収納部（Ｄ）の下方の収納部（Ｃ）に収納して振り分けるようにしたことことを特徴とする用紙出力機の用紙振り分け装置により、課題を解決した。
また、本発明は、複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した短尺の出力用紙を収納するするために前記傾斜板に対向して配置された収納板（６）により形成される収納部（Ｄ）と、前記出力部からの長尺の用紙の先端が前記傾斜板と前記収納板（６）の間から収納部（Ｃ）に収納して振り分けるようにしたことを特徴とする用紙出力機の用紙振り分け装置により、課題を解決した。
また、本発明は、複写機やプリンター等の用紙出力装置から出力される異なる長さの用紙サイズに対して振り分ける用紙振り分け装置であって、
前記用紙出力装置の出力部に隣接して該出力部の出力位置より低い位置に一端を設けられ異なる長さの出力用紙を案内する傾斜部を含む傾斜板（５）を備え、該傾斜板は異なる長さの用紙のうち短尺ものの用紙長さよりも長く、長尺ものの用紙長さよりも短く、スロープを備えるとともに、該スロープを備えた傾斜板とは空間を隔ててスロープの延長上に前記出力部から解放されてスロープを滑走した出力用紙を収納するために前記傾斜板に対向して配置された収納板（６）により形成される収納部（Ｄ）を備え、前記出力部からの長尺の用紙の先端が前記収納板（６）により前記収納部（Ｄ）の下方の収納部（Ｃ）に収納して振り分けると共に、
前記出力部の出力位置より高い位置に設けらて小サイズの用紙幅よりも大なる開口部を備えて小サイズよりも大なる用紙幅の出力用紙のみを下方の収納部（Ｂ）に案内する分離板（４）と、を備えたことを特徴とする用紙出力機の用紙振り分け装置により、課題を解決した。
【０００５】
【作用】
第１の分離板により小サイズ以上の用紙については案内部により最下方の第１の収納部に振り分けを行ない、小サイズの用紙については第１の分離板に作用されずに傾斜板上に案内される。傾斜板のスロープ端において、長尺の用紙は一端を出力機に保持されているため滑走せずに下方に垂下し、開放と共に下方に落下して前記第１の収納部より上方の第２の収納部に収納される。短尺の用紙は傾斜板上で開放されることで、スロープを滑走してスロープの延長上の前記第２の収納部より上方の第３の収納部に収納されて、振り分けが行なわれる。
【０００６】
【実施例】
以下、本発明の実施例を図面の図１から図３を参照して説明する。
なお、説明を容易化するために、用紙出力装置からは広幅の大判の用紙例えばＡ１，Ａ２と狭幅の小さい判Ａ３，Ａ４との２種類を出力可能なものであって、Ａ４はＡ３の長さを半分として出力するようにしたものを例として説明する。
【０００７】
１は装置機枠であり、８は用紙出力装置としての複写機やプリンターである。該用紙出力装置の一端に設けられた一対のローラ８ａ，８ｂに案内されて用紙が出力される出力部Ａを形成している。装置機枠１の案内支え部１ａの上端１ｂは出力部Ａより下方に形成され、案内支え部１ａは用紙出力装置８の出力端に隣接して配置されるように配置される。
【０００８】
２は第１の収納板であって、装置機枠１に固着され、薄板状に形成されて上端１ｂから下方にかけて傾斜して底部を形成しており、底部２ｂはＡ１，Ａ２の用紙を安定して収納するように形成されている。
【０００９】
３は第２の収納板であって、一端は大判の用紙が通過可能に用紙サイズよりも広い幅Ｗ１の開口部を形成して、両サイド３ａ，３ｂにおいて装置機枠１の上方部に固着され、他端は装置機枠１の下方部に固着されており、板の下方で第１の収納板とにより第１の収納部Ｂを形成している。  なお、両サイドは図１に示す如く、えぐり部３ｃが形成されており、第１の収納部Ｂに堆積した大判の用紙を取り出し容易とするために形成されている。
【００１０】
４は分離板であって、一端は第２の収納板３に固着され、他端は出力部より上方に延伸されて大判の用紙を第２の収納板の下方に案内する用紙案内部４ａが形成されている。
また該分離板４には狭幅の用紙が通過可能に、狭幅の用紙幅、Ａ４の長辺、Ａ３の短辺より大なる幅Ｗ２の開口部が形成されている。
【００１１】
５は傾斜板であって、一端は上方で第２の収納板３に固着され他端は自由端で、上方から下方にかけて傾斜部５ａとジャンプスロープ５ｂとが形成されている。なお、傾斜板５の長さは、Ａ３，Ａ４の狭幅の２種類の長さの異なる用紙に対して、Ａ４の短辺より長くかつＡ３の長辺より短くなるように形成されている。
【００１２】
６は第３の収納板であって、一端で装置機枠１の下方部の第２の収納板上に固着されおり、上方は開放端が形成されて傾斜板５の先端に対抗している。第３の収納板６と第２の収納板３との間の空間で第２の収納部Ｃが形成されている。
【００１３】
７は第４の収納板であって、一端が第３の収納板６上に固着されており、他端は開放端となって、第３の収納板６との間に第３の収納部Ｄが形成されている。
【００１４】
次に用紙幅の異なる用紙を出力したときの用紙の動作について図３から図５を参照して説明する。図３は狭幅で短い用紙、例えばＡ４横出力時、図４は狭幅で長い用紙、例えばＡ３縦、図５は広幅の用紙例えばＡ１，Ａ２の場合を示したものである。
【００１５】
図５において、用紙出力装置８の一対のローラー８ａ，８ｂの間から出力されたＡ１，Ａ２の用紙は水平に出力されるが、分離板４に当接して下方に案内されて第２の収納板３の開口部Ｗ１を通過し、第１の収納板２と第２の収納板３とにより形成される第１の収納部Ｂに収納される。
【００１６】
図４において、用紙出力装置８の一対のローラー８ａ，８ｂの間から出力されたＡ３の狭幅で縦長の用紙は水平に出力されると、分離板４の開口部Ｗ２を通過して傾斜板５上に送出される。傾斜板５の長さは用紙Ａ３の長さよりも短く形成されているため、ローラ８ａ，８ｂに保持されている間にも、下方に垂下し、用紙先端は第３の収納板６の開放端６ａより下方に案内される。この状態でローラ８ａ，８ｂによる送出が完了すると、用紙は傾斜部５ａを経て第２の収納板３と第３の収納板６とにより形成される第２の収納部Ｃに収納される。
【００１７】
図３において、用紙出力装置８の一対のローラー８ａ，８ｂの間から出力されたＡ４の狭幅で短い用紙は水平に出力されると、分離板４の開口部Ｗ２を通過して傾斜板５上に送出される。傾斜板５の長さは用紙Ａ４の長さよりも長く形成されているため、ローラ８ａ，８ｂに保持されている間は傾斜部５ａ上で保持されて下方に垂下しない。この状態でローラ８ａ，８ｂによる送出が完了すると、用紙Ａ４は傾斜部を滑走してジャンプスロープ５ｂを経て第３の収納板６と第４の収納板７とにより形成される第３の収納部Ｄに収納される。
【００１８】
このため傾斜板５の傾斜部５ａとジャンプスロープ５ｂの表面は摩擦係数が小となるような仕上げを施すことが好ましい。また、先に第３の収納部に堆積した用紙に滑走した用紙が当接しないために、第３の収納板６に堆積部６ａを形成することも有効である。
【００１９】
また、第１の収納部Ｂ内に傾斜板５と同様の傾斜部を形成してＡ３，Ａ４と同様用紙長さによる用紙分離を設けることも有効である。
また、第１の収納板に第３の収納板と同様の堆積部、第２の収納板に同様の堆積部を備えて、堆積中の用紙に当接してジャミング現象を防止するようにすることも有効である。  図５の第１の収納板に用紙を解離させるための制御板を設けることも有効である。
【００２０】
【発明の効果】
本発明は以上のような構成及び作用のものであり、検出部分や可動部分がない装置であって、かつ用紙サイズを用紙出力と協働して自動的に振り分け収納する用紙振り分け装置とすることにより、用紙サイズの検出手段や用紙を振り分ける可動手段がなく、装置を小型化でき、低コストで故障やメンテナンスの心配ない振り分け収納を達成できる。
【００２１】
【図面の簡単な説明】
【図１】本発明の一実施例の装置の正面図
【図２】本発明の一実施例の装置の側面図
【図３】本発明の一実施例のＡ４用紙振り分け状態の説明図
【図４】本発明の一実施例のＡ３用紙振り分け状態の説明図
【図５】本発明の一実施例のＡ１，Ａ２用紙振り分け状態の説明図
【符号の説明】
１：装置機枠、２：第１の収納板、３：第２の収納板、４：分離板、５：傾斜板、６：第３の収納板、７：第４の収納板、８：用紙出力装置、Ａ：用紙出力装置の出力部、Ｂ：第１の収納部、Ｃ：第２の収納部、Ｄ：第３の収納部、Ｗ１：第２の収納板の開口部、Ｗ２：分離板の開口部。
【図１】
0003597589.tif 000002
【図２】
0003597589.tif 000003
【図３】
0003597589.tif 000004
【図４】
0003597589.tif 000005
【図５】
0003597589.tif 000006